(57)【特許請求の範囲】
【請求項１】
屎尿をうけるボウル部と、前記ボウル部に給水するボウル給水手段と、前記ボウル部からの排水を一時的に貯留するタンクと、該タンクに内蔵され、圧送管を接続した圧送ポンプと、前記ボウル部からの排水に含まれる汚物やペーパーを粉砕するカッターと、前記カッターを囲んで設けられ、前記汚物やペーパーを濾過できる複数の濾過穴が空いたスクリーンと、前記タンクの内部を洗浄する洗浄手段と、前記洗浄手段に洗浄水を供給する洗浄用給水手段と、前記ボウル部への給水を開始するボウル部給水開始手段と、前記ボウル給水手段の給水と前記洗浄用給水手段の給水と前記ボウル部給水開始手段と前記圧送ポンプの運転を制御する制御部を備えたことを特徴とする圧送排水便器。
【発明の詳細な説明】
【０００１】
【発明の属する技術分野】
本発明は、容器内部を洗浄できる圧送排水装置、およびこれを用いた圧送排水便器に関する。
【０００２】
【従来の技術】
特開平４−２９０５５９には、圧送排水装置の信頼性やメンテナンス作業性の向上を目的として、カッターで破砕された屎尿の破砕片が、容器内部や水位センサに付着するのを防ぐように、カッター周囲に配置されたスクリーンの上面と側面を二重構造にすることが示されている。
【０００３】
【発明が解決しようとする課題】
圧送排水装置は、貯水槽内に圧送ポンプと水位検知スイッチと粉砕装置を設置し、屎尿および風呂の残り湯、洗濯・洗面などの雑排水を貯留槽に集め、水位検知スイッチにより貯水槽内の水位を検知し、圧送ポンプを作動させ、同時にカッターで屎尿を粉砕し、カッター周囲に配置されたスクリーンを通過した屎尿と排水を排水管を通して圧送排出する装置である。このような圧送排水装置は、下水管より低い位置に設置された地下室や、排水管の勾配がとれない建物など、強制的に排水させる場所で必要とされている。さらに今後は、排水管の口径を小さくして配管スペースを小さくしたシステムや、排水管にフレキシブル性を持たせ施工性を向上させたシステムで多用されることが予想される。
一方、圧送排水装置のメンテナンスや衛生管理において特に重要なこととして、カッターで細かく粉砕された屎尿やトイレットペーパーが貯留槽内に残らず、臭気が漂わず、虫が発生しないように貯留槽内を清潔に保つことが挙げられる。
【０００４】
しかしながら上記の圧送排水装置では、粉砕装置であるカッターとカッター周囲に配置された小孔の空いた筒上のスクリーンで構成されており、カッターで破砕された屎尿は、カッターの回転力よってスクリーンの小孔を通って貯留槽内の四方へ飛散し、破砕片が貯水槽内に付着して残留し、臭気の発生原因となるとともに、夏期には虫が発生するという問題があった。また、この破砕片が水検知スイッチに付着して水位検知スイッチの誤動作を誘発したり、メンテナンス時にタンクを開口すると非常に不衛生であることが問題となっている。
特開平４−２９０５５９では、上記貯水槽内を清潔に保つために、スクリーンの上面および側面を覆うように隔壁蓋と隔壁板を設けることが示されているが、これでは、スクリーンと隔壁蓋および隔壁板の間に挟まった屎尿によって粉砕効率の低下につながり、しいては圧送排水装置の能力低下につながる。また、貯留槽内に浮遊する屎尿および雑排水中に含まれる人体からの「あか」などが貯留槽内に固着することもあり、必ずしも貯水槽内を清潔に保っているとは言い切れない。さらに、水位検知スイッチにも浮遊汚物が付着するため、誤動作を誘発するおそれがある。
【０００５】
本発明は、上記課題を解決するためになされたもので、本発明の目的は、容器内の衛生性を保ち、さらに圧送ポンプの誤動作を減少させて信頼性を増した圧送排水装置、およびこれを用いた圧送排水便器を提供することである。
【００１８】
【課題を解決するための手段および作用・効果】
上記目的を達成するために請求項１の圧送排水便器は、屎尿をうけるボウル部と、前記ボウル部に給水するボウル給水手段と、前記ボウル部からの排水を一時的に貯留するタンクと、該タンクに内蔵され、圧送管を接続した圧送ポンプと、前記ボウル部からの排水に含まれる汚物やペーパーを粉砕するカッターと、前記カッターを囲んで設けられ、前記汚物やペーパーを濾過できる複数の濾過穴が空いたスクリーンと、前記タンクの内部を洗浄する洗浄手段と、前記洗浄手段に洗浄水を供給する洗浄用給水手段と、前記ボウル部への給水を開始するボウル部給水開始手段と、前記ボウル給水手段の給水と前記洗浄用給水手段の給水と前記ボウル部給水開始手段と前記圧送ポンプの運転を制御する制御部を備えたことを特徴とする。本発明によれば、ボウル給水手段の給水と、洗浄用給水手段の給水と、ボウル部給水開始手段と、圧送ポンプの運転を制御部で制御できるので、ボウル部からの排水状況や、圧送ポンプの運転状況に応じてタンク内の洗浄を行うことができ、無駄なく確実に衛生性を確保できる。例えば、ボウル部からの排水が汚物やペーパーを含む場合には、大便用のボウル部給水開始手段であるトリガースイッチを押し、ボウル給水手段からの給水を多くするとともに、洗浄用給水手段の給水量を増加し、タンク内をしっかり洗浄し、衛生性を確保する。逆に汚物を含まない小便の際には、小便用のボウル部給水開始手段であるトリガースイッチを押し、ボウル給水手段からの給水を抑えるとともに、洗浄用給水手段からの給水を少なくして、洗浄手段からの吐水量を少なくしても衛生性を確保でき、節水につながる。または、カッターを圧送ポンプと同期運転させる構造とし、カッターで汚物を粉砕し、スクリーンを通して粉砕物を飛散している時に、特に洗浄手段から吐水する水を増量し、タンクに付着した汚物を早期に洗い流し、汚物がタンク内に付着することを防ぎ衛生性を確保できる。または、タンク内の汚物を極力圧送ポンプで圧送した後に、新たに洗浄用給水手段またはボウル給水手段から、清水をタンク内に貯留し、圧送管や圧送管より下流側の悪臭や虫がタンク内に侵入するのを防ぎ、衛生性を確保できる。
【００１９】
【発明の実施の形態】
本発明の実施例を以下に説明する。
図1に本発明に係る排水装置を含む排水システムの一実施例を示す。
居住空間の床であるフローリング床２は建築躯体のスラブ床１の上方に図示しない碁盤の目状に張り巡らされた根太によって支えらており、フローリング床２とスラブ床１との間に床下空間３ができている。排水器具である浴室ユニット２０はスラブ床１上に設置されており、水洗式の大便器４０はフローリング床２上に設置されている。排水を圧送する圧送排水装置５は、排水器具近くの床下空間３内に納められている。
浴室ユニット２０は、浴槽２１と、洗い場２３とを備えており、下流に向かって傾斜した浴槽配管２５と洗い場配管２６を介して圧送排水装置５に連通している。
大便器４０は、大便器配管４１を介して圧送排水装置５に連通している。
【００２０】
圧送排水装置５は、図２に示すように、排水を一時的に貯留するタンク５０と、タンク５０に内蔵され排水を圧送する圧送ポンプ７０と、圧送ポンプ７０の制御を行う制御部７１と、固形物を砕く粉砕部８０と、タンク５０に接続され圧送ポンプ７０で加圧された排水を輸送する圧送管７２と、タンク５０の内部を洗浄する洗浄手段６０と、から構成される。
タンク５０は、浴槽配管２５を接続する第一流入部５１と、洗い場配管２６を接続する図示しない第二接続部と、大便器配管４１を接続する大便器専用流入部５２と、一端が大気開放された通気部５３と、外部給水源を接続する給水接続部５４を有している。
圧送ポンプ７０は、タンク５０内の排水を吸い込む吸引口７３と、圧送管７２に連通した排出口７４と、回転によって排水を吸引口７３から排出口７４に送り込むインペラ部７５と、インペラ７５の回転駆動となるモータ部７６とを有している。制御部７１は、タンク５０内の水位を検知する水位センサ７７を有しており、モータ部７６の運転を制御している。
粉砕部８０は、圧送ポンプ７０の上部に位置し、複数の貫通孔を有した円筒状のスクリーン８１と、スクリーン８１内の底部に収まり固形物を砕くカッター８２とから成り、カッター８２を回転させる駆動部は、圧送ポンプ７０のモータ部７６である。スクリーン８１は大便器専用流入部５２の直下に位置している。
【００２１】
洗浄手段６０は、給水接続部５２に直結した洗浄用洗浄用電磁弁６２と、制御部７１に内蔵され、洗浄用電磁弁６２に信号を送る弁制御部６３と、一端が洗浄用洗浄用電磁弁６２に連通した第一接続管６４と、一端が洗浄用電磁弁６２に連通した第二接続管６５と、タンク５０の側面に配置され第一接続管６４の端部に接続された縦型放水部６６と、タンク５０の上部に配置され第二接続管６５の端部に接続された横型放水部６７とから成る。
縦型放水部６６は、図３に示すように、タンクの側面に向かって放水するように側面に開口した６つの側面吐水口と、水位センサに向かって放水するように正面に開口した正面吐水口とがある。
横型放水部６７は、図４に示すように、スクリーンに向かって放水する吐水口と、タンクの側面に向かって放水する吐水口と、下方に向かって放水する吐水口が開口している。
【００２２】
図５は、弁制御部６３の稼働シーケンスを示している。図中Ｂは洗浄用電磁弁６２に開信号を送り洗浄を開始する洗浄開始間隔を示し、Ｃは洗浄開始後、洗浄用電磁弁６２に閉信号を送り洗浄を終了する洗浄時間を示している。
弁制御部６３は、上記ＢおよびＣを設定でき、ここではＢを圧送ポンプ７０の始動回数と連動させ、洗浄用電磁弁６２が閉状態となってから、圧送ポンプ７０が５回目に始動する間隔とし、Ｃを時間で制御し、３０秒とする。つまり、圧送ポンプ７０が５回稼動すると３０秒間タンク５０内を洗浄し、これを繰り返し行うように設定されている。
【００２３】
本実施例に係る圧送排水装置の動作を図２で説明する。
浴槽または洗い場からの排水は、浴槽排水管２５または図示しない洗い場排水管を通って、第一流入部５１または図示しない第二流入部からタンク５０に流入する。
大便器からの排水は、大便器配管４１を通って、大便器専用流入部５２からタンク５０内のスクリーン８１に流れ込む。スクリーン８１の孔径以上の汚物はスクリーン８１内に残留し、孔径以下の汚物と排水はタンク５０の下方に流下する。
これらタンク５０に流入した排水はタンク５０内に貯留され、タンク５０内の水位が上昇すると、水位センサ７７が水位を検知し、圧送ポンプ７０を稼働させ、同時に圧送ポンプ７０の上部に取り付けたカッター８２が回転する。カッター８２が回転するとスクリーン８１に残留した汚物は粉砕され、粉砕された汚物は、スクリーン８１の孔からタンク５０内に落下する。排水と粉砕された汚物は、圧送ポンプ７０によって吸引口７３から吸い込まれ、排出口７４から圧送管７２に圧送され、図示しない下水管に送水される。
ただし、カッター８２の回転で粉砕された汚物の一部は、回転の勢いでタンク５０内に散乱し、タンク５０の側壁やスクリーン８１や水位センサ７７に付着することがある。
【００２４】
弁制御部６３は、上記圧送ポンプ７０の稼働をカウントし、前記図５に示すように前の洗浄から数えて、圧送ポンプ７０が５回目に稼働すると同時に洗浄用電磁弁６２に開信号を送信する。洗浄用電磁弁６２はこの信号で弁を開状態にし、外部給水源から縦型放水部６６と横型放水部６７に洗浄水が流れ込む。ここで、外部給水源は加圧手段があり洗浄水を加圧しており、洗浄用電磁弁６２には定流量弁が内蔵されており、一定流量の洗浄水を縦型放水部６６と横型放水部６７に供給することができる。このように流量調整された洗浄水は、縦型放水部６６の側面に空いた穴からタンク壁面方向に勢いよく吐水され、タンク５０内に付着した粉砕された汚物や排水に混じった汚れを洗い流す。また、正面に空いた穴からは水位センサ７７に向かって吐水され、前記水位センサ７７に付着した汚物を確実に洗い流す。横型放水部６７から吐水された洗浄水は、主にスクリーン８１に付着した汚物を洗い流し、スクリーン８１の孔の目詰まりを防ぐ。また側面に開いた吐水口からは水平方向に勢いよく吐水され、タンク壁面の汚れを洗浄する。弁制御部６３は、洗浄用電磁弁６２が開状態となってから３０秒後に今度は閉信号を洗浄用電磁弁６２に送信し、洗浄用電磁弁６２は閉状態となり、各放水部への送水が停止し、洗浄が終了する。この間に吐水された洗浄水は、他の排水と同様に圧送ポンプ７０で図示しない下水管へ送水される。
なお、洗浄用電磁弁６２は電源が切れると閉状態になるよう設定しておく。洗浄中に停電が起こった場合は、圧送ポンプ７０が停止し、同時に洗浄も停止するため、タンク５０に洗浄水が溢れることはない。またメンテナンスでタンクを開ける場合には、電源を切ってから行うこととし、タンクを開けた状態で誤動作による洗浄水の噴き出しを防止することができる。
【００２５】
上記説明からわかるように、本実施例に係る圧送排水装置においては、タンク５０の内壁や、タンク５０に内蔵された圧送ポンプ７０やスクリーン８１などに付着した粉砕された汚物や、排水に混じった汚れを定期的に洗い流すことができ、タンク５０内を清潔に保つことで、改修時の衛生性を確保したり、汚れ付着による悪臭の発生を極力防ぐ。さらに水位センサ７７やスクリーン８１の穴に汚物が固着するのを防ぎ、圧送ポンプ７０の安定した運転を確保し、装置全体の信頼性や安全性を増すことができる。また比較的きれいな洗浄水を圧送管７２に定期的に流すことで、圧送管７２の汚物付着による詰まりをある程度防ぐことができる。
【００２６】
以上、本発明の実施例を説明したが、本発明は上記実施例に限定されない。
本発明の圧送排水装置において、図５に示す弁制御部の洗浄開始間隔Ｂを、例えば２４時間のように時間設定する。こうすることで、圧送ポンプの稼働間隔が不規則な場合にも対応できる。
また、弁制御部の洗浄開始間隔Ｂを大便器の使用と連動させることもできる。こうすることで、スクリーンから汚物が飛散した直後にタンク内洗浄をすることができ、飛散した汚物の固着を完全に防ぎ、さらに浴槽など比較的きれいな排水を圧送する場合には洗浄をしないことで、節水化が可能となる。
【００２７】
図２の洗浄手段６０は、図６（ａ）に示すように、タンク５０上部に配置され、複数の穴が空いた放水部９１と、手動で開閉を行うボールバルブ９２と、螺合接続可能な着脱接続部９３と、着脱接続部９３と螺合接続可能なキャップ９４で構成され、ボールバルブ９２と着脱接続部９３とキャップ９４はフローリング床２から上方に突出している。
タンク５０内を洗浄する場合は、図６（ｂ）に示すように、図示しない外部給水源からの給水管６１と、該給水管６１の先端に取り付けた接続ナット９５を着脱接続部９３に螺合接続する。
上記構造の圧送排水装置で、タンク５０内を洗浄する場合は、まず、ポールバルブ９２が閉状態であることを確認し、着脱接続部９３からキャップ９４をはずす。次に着脱接続部９３に接続ナット９５を接続し、ボールバルブ９２と図示しない外部給水源を開にし、洗浄水を放水部９１から吐水する。吐水された洗浄水は、タンク５０の内壁や水位センサやスクリーンに付着した汚物を洗い流す。なお、洗浄水は圧送ポンプによって下水管に送水される。洗浄を終了するには、ボールバルブ９２と図示しない外部給水源を閉とし、接続ナット９５を着脱接続部９３からはずし、着脱接続部９３にキャップ９４をかぶせる。
上記洗浄方法とすることで、使用者が必要に応じて洗浄をすることが可能となり、節水効果につながる。また、特に改修前などタンク５０を開ける際には、充分洗浄を行い、衛生性を確保できる。ボールバルブを閉にして接続を行うので、タンク内の臭気が外部に漏れることもなく、衛生的である。
【００２８】
図７に示すように、圧送排水装置５は、タンク５０内部の圧送管７２に設けた分岐部７８と、分岐部７８と洗浄用電磁弁６２とを結ぶ排水リバース管７９を備えても良い。
水位センサ７７からの信号で、圧送ポンプ７０が稼働すると、タンク５０内の水位センサ７７からの信号で、圧送ポンプ７０が稼働すると、タンク５０内の排水は圧送管７２に圧送され、定期的に弁制御部６３から開信号が洗浄用電磁弁６２に送られ、洗浄用電磁弁６２は開状態となり、圧送された排水の一部は、分岐部７８から排水リバース管７９を通って、さらに第一接続管６４または第二接続管６５を通って、縦型放水部６６または横型放水部６７から吐水され、タンク５０の内壁や水位センサ７７やスクリーン８１を洗浄する。一定時間後に弁制御部６３から閉信号が送られ洗浄用電磁弁６２が閉状態となり、洗浄が終了する。上記構造とすることで、外部給水源を必要とせずともタンク５０内の洗浄が可能となり、節水効果につながる。また、タンクに内蔵された洗浄装置のため、コンパクトな構造である。
【００２９】
図３または図４の放水部は、図８に示すように、タンク５０の上部に固定された放水上部９６と、放水上部に洗浄水を供給する内部給水管９７と、放水上部９６と周動可能で吐水口が開いた放水下部９８と、放水下部９８に回転軸を固定したモータ９９から構成されていてもよい。
モータ９９を回転させながら放水下部９８から洗浄水を吐水すると、洗浄水はスプリンクラーのように旋回しながら吐水され、タンク内壁や水位センサやスクリーンをまんべんなく洗浄することが可能となる。
【００３０】
また、タンクに洗浄剤投入口を設けてもよい。
洗浄剤を洗浄剤投入口から投入しタンク内を洗浄することで、洗浄力が増し、タンク内壁や水位センサやスクリーンに付着した汚物を除去できる。よってタンク内の衛生性をさらに保つことができる。
【００３１】
また、図９のように、圧送排水装置５は、スクリーン８１に開口した穴の位置を制御部７１や水位センサ７７とは反対方向に開け、カッター８２で粉砕した汚物が制御部７１や水位センサ７７に飛散しないようにし、制御部７１とは反対方向に飛散してタンク５０の内壁に付着した汚物は、洗浄手段６０の横型放水部６７からの洗浄水によって、容易に洗浄できるような構造としても良い。
制御部７１や水位センサ７７に飛散する汚物の量は確実に減少させることができるとともに、汚物の飛散場所を限定し、ピンポイントでの洗浄が可能となる。よって、制御部７１や水位センサ７７の誤動作を減少させるとともに、タンク５０内の衛生性を確保できる。
【００３２】
また、図１０のように、圧送排水装置５に、スクリーン８１の側面を覆うように円筒状のスクリーンカバー８３を設けても良い。該スクリーンカバー８３は、タンク５０の上部を開口できるタンクふた５５に固定されている。また、圧送排水装置５は、制御部７１や水位センサ７７を集中的に洗浄する縦型放水部６６を有した洗浄手段６０を備えている。
カッター８２によって粉砕された汚物は、スクリーンカバー８３に当たり、スクリーンカバー８３の下方に落下するため、タンク５０の内壁または制御部７１や水位センサ７７に飛散することは無い。さらに浮遊によって付着した汚物は、縦型放水部６６によって容易に洗浄される。
スクリーンカバー８３の内面にも徐々に汚物が付着することもあるが、定期的にタンクふた５５を開口し、タンクふた５５に固定されたスクリーンカバー８３を取り外して洗浄できる。また、図１０の波線で示すように、スクリーンカバー８３の内面を集中的に洗浄するカバー放水部６８を設けても良い。
制御部７１や水位センサ７７に飛散する汚物の量は確実に減少させることができるとともに、汚物の飛散場所を限定し、ピンポイントでの洗浄が可能となる。よって、制御部７１や水位センサ７７の誤動作を減少させるとともに、タンク５０内の衛生性を確保できる。
【００３３】
また、図１０のスクリーン８１に開口した穴の位置を図９のように制御部７１とは反対方向に開け、それを覆う面にのみスクリーンカバー８３を設けても良い。
これにより、前述と同様にタンク５０は常時衛生性を確保でき、制御部７１や水位センサ７７に汚物の付着が少ないため誤動作を抑えることができる。さらに、スクリーンカバー８３に必要な空間を少なくでき、タンク５０を小さくできる。
【００３４】
以上の実施例において、圧送排水装置は、大便器と浴槽から排水をうけることとしたが、本発明においては、これに限らず、小便器、洗面器、台所流しなどの排水器具からの排水を流入させても良い。台所流しで固形物が混入する場合は、大便器の排水と同様にカッターやスクリーンで粉砕した後圧送しても良い。
【００３５】
図１１は圧送排水便器１００の一実施例である。圧送排水便器１００は、汚物をうけるボウル部１０１と、ボウル部１０１に給水を行うボウル給水部１０２と、その開閉操作を行うボウル給水用電磁弁１０３と、ボウル部１０１への給水を開始するボウル部給水開始手段であるトリガースイッチ１０４と、ボウル部１０１の後方に位置したトラップ１０５と、トラップ１０５を連結した圧送排水装置５とを備えている。
【００３６】
圧送排水装置５の詳細を図１２に示す。圧送排水装置５は、タンク５０と、ボウル部からの排水を流入する排水流入口１０６と、スクリーン８１と、カッター８２と、モータ部７６を備えた圧送ポンプ７０と、圧送管７２と、洗浄用電磁弁６２と横型放水部６７を備えた洗浄手段６０と、通気部５３と、モータ停止用水位センサ１０７を備え、タンク５０の上方には、モータ部７６と、モータ停止用水位センサ１０７と、洗浄用電磁弁６２と、ボウル給水用電磁弁１０３と、トリガースイッチ１０４を制御する制御部７１が備えられている。なお、図１１のボウル給水部１０２と、図２の洗浄手段６０は、途中で合流し図示しない外部給水源につながっている。
【００３７】
制御部７１のシーケンスを図１３に示す。各構成部の番号は、図１１と図１２に示している。▲１▼使用者がトリガースイッチ１０４をＯＮにすると、直ちにボウル給水用電磁弁１０３が開きボウル部１０１を洗う。これによりボウル部１０１に溜まっている汚物や排水がトラップ１０５を通ってタンク５０に流れ込み、タンク５０の水位が徐々に上昇する。この時汚物はスクリーン８１内に残留する。▲２▼一定時間後にモータ部７６を駆動させ、モータ部７６を駆動源とするカッター８２によって汚物は粉砕され、さらに圧送ポンプ７０によってタンク５０内の汚水が圧送管７２を介して徐々に外部に圧送され、タンク５０の水位は徐々に減少する。▲３▼これよりやや遅れて、ボウル給水用電磁弁１０３が閉じ、ボウル部１０１にはトラップ１０５の作用により水が溜まる。直後に洗浄用電磁弁６２が一定時間開き、タンク５０内に飛散した汚物を洗い流す。圧送ポンプ７０は駆動しているが、横型放水部６７からの洗浄水によって多少タンク５０内の水位が上昇することもあるが、洗浄用電磁弁６２が閉じると水位は徐々に減少し、▲４▼モータ停止用水位センサ１０７まで水位が減少すると、モータ停止用センサが作動し、モータ部７６が停止し、再び洗浄用電磁弁６２が一定時間開き、タンク５０内を洗浄する。この洗浄水により、浮遊汚物を洗い流すとともに、比較的きれいな水で、タンク５０内の水位を復元させる。復元水位を圧送ポンプ７０の吸い込み口より高い位置までとすると。溜まった水によって圧送排水装置５より下流側の悪臭や虫がタンク５０内に侵入するのを防ぎ、通気部５３より悪臭が発生したり、虫が上がってくることはない。
これにより、タンク５０内の汚水を最後まで圧送した後に清水でタンクの内壁を洗浄し、またタンク５０の内部に残留する水は極力きれいになるので、衛生性を十分確保できる。通気部５３からの悪臭や虫の進出を阻止できる。
【００３８】
また、上記圧送排水便器においては、制御部のシーケンスをいろいろ変更できる。例えばトリガースイッチ１０４に大便用と小便用があり、小便用の時には、図１４に示すように、▲１▼'小便用のトリガースイッチ１０４がＯＮとなり、直ちにボウル給水用電磁弁１０３が一定時間開きボウル部１０１を洗う。▲２▼'一定時間後にモータ部７６が駆動するが、汚物やペーパーは含まれていないので、タンク５０内の洗浄は行わない。▲３▼'タンク水位が減少しモータ停止用水位センサ１０７が作動すると、モータ部７６は停止し、圧送排水も停止する。これと同時に洗浄用電磁弁６２が開き、タンク５０内を洗浄しながら、比較的きれいな水で、タンク５０内の水位を復元させる。
これにより、必要なときにのみタンク５０内を洗浄することができ、節水効果がある。
【００３９】
上記実施例では、ボウル部給水開始手段を使用者が押すトリガースイッチとしたが、本発明はこれに限定されず、使用者が圧送排水便器から離れたことを検知して、ボウル部への給水を開始する人体検知センサーであっても良い。
【図面の簡単な説明】
【図１】本発明に係る圧送排水装置を用いた排水システムを示す斜視図である。
【図２】本発明に係る圧送排水装置の構成図である。
【図３】本発明に係る放水部の洗浄中の斜視図である。
【図４】本発明に係る放水部の洗浄中の斜視図である。
【図５】本発明に係る電磁弁の稼動シーケンスを示す制御波形図である。
【図６】本発明に係る給水接続部の不洗浄時の断面図と給水接続部の洗浄中の断面図である。
【図７】本発明に係る圧送排水装置の構成図である。
【図８】本発明に係る回転式放水部の断面図である。
【図９】本発明に係る圧送排水装置の別の形態を示した構成図である。
【図１０】本発明に係る圧送排水装置の別の形態を示した構成図である。
【図１１】本発明に係る圧送排水便器を示した概略図である。
【図１２】本発明に係る圧送排水便器の圧送排水装置の構成図である。
【図１３】本発明に係る圧送排水便器の制御シーケンスを示す制御は系図である。
【図１４】本発明に係る圧送排水便器の制御シーケンスを示す制御は系図である。
【符号の説明】
５：圧送排水装置
２０：浴室ユニット
４０：大便器
５０：タンク
６０：洗浄手段
６２：洗浄用電磁弁
６３：弁制御部
６６：縦型放水部
６７：横型放水部
７０：圧送ポンプ
７１：制御部
７７：水位センサ
８１：スクリーン
８２：カッター
【図１】
0003821025.tif 000002
【図２】
0003821025.tif 000003
【図３】
0003821025.tif 000004
【図４】
0003821025.tif 000005
【図５】
0003821025.tif 000006
【図６】
0003821025.tif 000007
【図７】
0003821025.tif 000008
【図８】
0003821025.tif 000009
【図９】
0003821025.tif 000010
【図１０】
0003821025.tif 000011
【図１１】
0003821025.tif 000012
【図１２】
0003821025.tif 000013
【図１３】
0003821025.tif 000014
【図１４】
0003821025.tif 000015